(57)【要約】【課題】隣り合う太陽電池パネル相互間の隙間からの雨水の侵入を有効に防止できると共に、その施工費の低減化を実現できるソーラー屋根構造を提供する。【解決手段】屋根勾配付きの屋根枠体２に屋根材としての多数の太陽電池パネル１・・・が縦横整列状に配置され、屋根流れ方向に沿った各縦列の太陽電池パネル１・・・が左右に隣り合う太陽電池パネル１，１相互間及び屋根流れ方向と直交する各横列の太陽電池パネル１・・・が前後に隣り合う太陽電池パネル１，１互間に夫々一定幅の隙間部Ｓａ，Ｓｂが設けられ、これらの隙間部Ｓａ，Ｓｂにシーリング材３が装填されると共に、これらの隙間部Ｓａ，Ｓｂを覆う長尺状の防水テープ４が各縦列の太陽電池パネル１，１相互間及び各横列の太陽電池パネル１，１相互間に夫々接着されている。【選択図】図３
2016023415.tif 000002
【特許請求の範囲】
【請求項１】
屋根勾配付きの屋根枠体に屋根材としての多数の太陽電池パネルが縦横整列状に配置され、屋根流れ方向に沿った各縦列の太陽電池パネルが左右に隣り合う太陽電池パネル相互間及び屋根流れ方向と直交する各横列の太陽電池パネルが前後に隣り合う太陽電池パネル相互間に夫々一定幅の間隙部が設けられ、これらの間隙部にはシーリング材が装填されると共に、これらの間隙部を覆う長尺状の防水テープが、各縦列の太陽電池パネルの左右に隣り合う太陽電池パネル間及び各横列の太陽電池パネルの前後に隣り合う太陽電池パネル間に夫々接着されているソーラー屋根構造。
【請求項２】
前記屋根枠体は、屋根流れ方向に沿うように配設された複数の垂木材を有し、各垂木材は、角筒状の垂木本体部と、この垂木本体部の上端両側部に垂木本体部の上面と面一状に突設された両側一対のパネル受け部とからなるもので、この垂木材上に前記太陽電池パネルが配置され、太陽電池パネルの周枠が垂木材のパネル受け部上に載置されてボルト止めされている請求項１に記載のソーラー屋根構造。
【請求項３】
前記垂木材は、前記各縦列の太陽電池パネルの左右に隣り合う太陽電池パネル相互間の隙間部に沿った位置と、各縦列の太陽電池パネルの左右方向中間位置とに配置されており、前記左右に隣り合う太陽電池パネル相互間の隙間部に沿って配置された垂木材は、前記隙間部の下側が垂木本体部の上面で塞がれると共に、前記隙間部を挟んで隣り合う左右両側の太陽電池パネルの周枠の縦枠が前記両側一対のパネル受け部に夫々ボルト止めされており、前記太陽電池パネルの左右方向中間位置に配置された垂木材は、各太陽電池パネルの周枠の横枠が前記両側一対のパネル受け部の片方のパネル受け部にのみボルト止めされている請求項２に記載のソーラー屋根構造。
【請求項４】
各垂木材は、複数に分割されていて、分割垂木材どうしが垂木接合用ジョイントによって接合されると共に、この垂木接合用ジョイントは、垂木材と共に屋根枠体を形成するＨ形鋼からなる横梁材の上フランジにボルト止めされている請求項２又は３に記載のソーラー屋根構造。
【発明の詳細な説明】
【技術分野】
【０００１】
本発明は、屋根材そのものに太陽電池パネル（ソーラーパネルや太陽電池モジュールとも言う）を使用したソーラー屋根構造に関し、特に、工場、倉庫、野外ステージ等の大型の屋根に好適なソーラー屋根構造に関する。
【背景技術】
【０００２】
従来より、太陽電池パネルを建物に取り付けるにあたっては、既設の屋根にパネル取付架台を設置して、これに太陽電池パネルを取り付けるようにしていたが、施工性が悪い上に、外観性、意匠性に劣ることから、近年、屋根材そのものに太陽電池パネルを使用することで、施工性及び外観性を高めた戸建て用のソーラー屋根構造が提供されている。このように屋根材そのものに太陽電池パネルを使用した従来のソーラー屋根構造として特許公報等の公知文献を挙げることはできないが、複数の太陽電池パネルを縦横整列状態に配置し、縦列の太陽電池パネル相互間及び横列の太陽電池パネル相互間のシール性を確保した状態でこれらの太陽電池パネルを屋根枠体に固定するようにしたものである。
【発明の概要】
【発明が解決しようとする課題】
【０００３】
上記のようなソーラー屋根構造で問題となるのは、隣り合う太陽電池パネル相互間の隙間からの雨水の侵入である。しかして、この雨水の侵入を防ぐために、縦列の太陽電池パネル相互間及び横列の太陽電池パネル相互間に隙間形成用のアルミ押出型材からなる溝枠を介挿し、各溝枠の上面開口部に同じくアルミ押出型材からなるカバー枠を水密状態に被せて、溝枠にビス止めするようにしている。これにより、隣り合う太陽電池パネル相互間の隙間からの雨水の侵入を有効に防止することができる。
【０００４】
上記のような防水構造は、戸建て用屋根のように比較的小型の屋根には有効であるが、これを工場や野外ステージ等の大型の屋根に適用するとなれば、溝枠及びカバー枠の材料費が非常に高くつく上に、カバー枠の取付けに非常な手間がかかり、施工費が高騰するという問題がある。
【０００５】
本発明は、上記の事情に鑑み、隣り合う太陽電池パネル相互間の隙間からの雨水の侵入を有効に防止できると共に、その施工費の低減化を実現できるソーラー屋根構造を提供することを目的とする。
【課題を解決するための手段】
【０００６】
上記課題を解決するための手段を、後述する実施形態の参照符号を付して説明すると、請求項１に係る発明のソーラー屋根構造は、図１〜図４に示すように、屋根勾配付きの屋根枠体２に屋根材としての多数の太陽電池パネル１・・・が縦横整列状に配置され、屋根流れ方向に沿った各縦列の太陽電池パネル１・・・が左右に隣り合う太陽電池パネル１，１相互間及び屋根流れ方向と直交する各横列の太陽電池パネル１・・・が前後に隣り合う太陽電池パネル１，１互間に夫々一定幅の隙間部Ｓａ，Ｓｂが設けられ、これらの隙間部Ｓａ，Ｓｂには、図３、図４、特に図８の(a) 及び図９に示すように、シーリング材３が装填されると共に、これらの隙間部Ｓａ，Ｓｂを覆う長尺状の防水テープ４が、各縦列の太陽電池パネル１・・・の左右に隣り合う太陽電池パネル１，１間及び各横列の太陽電池パネル１・・・の前後に隣り合う太陽電池パネル１，１間に夫々接着されていることを特徴とする。
【０００７】
請求項２は、請求項１に記載のソーラー屋根構造において、前記屋根枠体２は、屋根流れ方向に沿うように配設された複数の垂木材１０を有し、各垂木材１０は、図８の(a) ，(b) に示すように、角筒状の垂木本体部１３と、この垂木本体部１３の上端両側部に垂木本体部１３の上面と面一状に突設された両側一対のパネル受け部１４，１４とからなるもので、この垂木材１０上に前記太陽電池パネル１が配置され、太陽電池パネル１の周枠６が垂木材１０のパネル受け部１４上に載置されてボルト１５止めされていることを特徴とする。
【０００８】
請求項３は、請求項２に記載のソーラー屋根構造において、前記垂木材１０は、前記各縦列の太陽電池パネル１・・・の左右に隣り合う太陽電池パネル１，１相互間の隙間部Ｓａに沿った位置と、各縦列の太陽電池パネル１の左右方向中間位置とに配置されており、前記左右に隣り合う太陽電池パネル１，１相互間の隙間部Ｓａに沿って配置された垂木材１０は、前記隙間部Ｓａの下側が垂木本体部１３の上面で塞がれると共に、前記隙間部Ｓａを挟んで隣り合う左右両側の太陽電池パネル１，１の周枠６，６の縦枠７，７が前記両側一対のパネル受け部１４，１４に夫々ボルト１５止めされており、前記太陽電池パネル１の左右方向中間位置に配置された垂木材１０は、各太陽電池パネル１の周枠６の横枠８が前記両側一対のパネル受け部１４，１４の片方のパネル受け部１４にのみボルト止めされていることを特徴とする。
【０００９】
請求項４は、請求項２又は３に記載のソーラー屋根構造において、各垂木材１０は、複数に分割されていて、分割垂木材１０，１０どうしが垂木接合用ジョイント１８によって接合されると共に、この垂木接合用ジョイント１８は、垂木材１０と共に屋根枠体２を形成するＨ形鋼からなる横梁材１１の上フランジ１１ａにボルト１９止めされていることを特徴とする。
【発明の効果】
【００１０】
上記解決手段による発明の効果を、後述する実施形態の参照符号を付して説明すると、請求項１に係る発明は、屋根流れ方向に沿った各縦列の太陽電池パネル１・・・が左右に隣り合う太陽電池パネル１，１相互間の隙間部Ｓａ、及び屋根流れ方向と直交する各横列の太陽電池パネル１・・・が前後に隣り合う太陽電池パネル１，１相互間の隙間部Ｓｂに夫々シーリング材３を装填すると共に、これらの隙間部Ｓａ，Ｓｂを覆う長尺状の防水テープ４を各縦列の太陽電池パネル１・・・の左右に隣り合う太陽電池パネル１，１間及び各横列の太陽電池パネル１・・・の前後に隣り合う太陽電池パネル１，１間に夫々接着するようにしたソーラー屋根構造であるから、従来のソーラー屋根構造のように、縦列の太陽電池パネル相互間及び横列の太陽電池パネル相互間に介挿したアルミ押出型材の溝枠に、同じくアルミ押出型材のカバー枠を水密状態に被せてビス止めするようにした防水施工に比べ、防水施工が簡単、容易となって、施工費の大幅な低減化が可能となり、工場、倉庫、野外ステージ等の大型の屋根の建造にはきわめて好適となる。
【００１１】
請求項２に係る発明によれば、屋根枠体２は、屋根流れ方向に沿うように配設された複数の垂木材１０を有し、各垂木材１０は、角筒状の垂木本体部１３と、この垂木本体部１３の上端両側部に垂木本体部１３の上面と面一状に突設された両側一対のパネル受け部１４，１４とからなるもので、垂木材１０上に太陽電池パネル１が配置され、太陽電池パネル１の周枠６が垂木材１０のパネル受け部１４上に載置されてボルト１５止めされるようになっているから、屋根材としての太陽電池パネル１を屋根枠体２の垂木材１０によって的確且つ有効に支持固定させることができる。
【００１２】
請求項３に係る発明によれば、各縦列の太陽電池パネル１，１相互間の隙間部Ｓａに沿って配置された垂木材１０は、前記隙間部Ｓａの下側が垂木本体部１３の上面で塞がれると共に、この隙間部Ｓａを挟んで隣り合う左右両側の太陽電池パネル１，１の周枠６，６の縦枠７，７が夫々両側一対のパネル受け部１４，１４に夫々ボルト１５止めされるのに対し、各縦列の太陽電池パネル１の左右方向中間位置に配置された垂木材１０は、各太陽電池パネル１の周枠６の横枠８が両側一対のパネル受け部１４，１４の片方のパネル受け部１４にボルト１５止めされるが、太陽電池パネル１の左右方向中間位置に配置された垂木材１０は、縦列の太陽電池パネル１・・・を支持するだけであるから、各太陽電池パネル１の周枠６の横枠８が両側一対のパネル受け部１４，１４の片方のパネル受け部１４にだけボルト１５止めすれば連結強度的には十分であり、そうすることによりボルト１５・ナット１６の個数を少なくし、施工の簡素化を図ることができる。
【００１３】
請求項４に係る発明によれば、垂木接合用ジョイント１８は、これ１つで、分割された垂木材１０どうしを接合すると共に、その接合した垂木材１０を横梁材１１上に支持固定することができるから、接合金具をできるだけ少なくして、施工の簡素化を図ることができる。
【図面の簡単な説明】
【００１４】
【図１】本発明に係ソーラー屋根構造の全体を示す平面図である。
【図２】(a) は図１の矢印Ａ−Ａ線拡大断面図、(b) は図１の矢印Ｂ−Ｂ線拡大断面図である。
【図３】図１に示す太陽電池パネルを拡大して示す平面図で、太陽電池パネル相互間の隙間を覆う防水テープを貼り付けた状態を示す。
【図４】防水テープを剥がした状態での図３と同様な平面図である。
【図５】図２の(a) の矢印Ｃで示す部分の拡大図である。
【図６】図２の(b) の矢印Ｄで示す部分の拡大図である。
【図７】(a) は図５の矢印Ｅで示す部分の拡大図、(b) は図５の矢印Ｆで示す部分の拡大図である。
【図８】(a) は図６の矢印Ｇで示す部分の拡大図、(b) は図６の矢印Ｈで示す部分の拡大図である。
【図９】図５の矢印Ｊで示す部分の拡大図であると共に、図３のＫ−Ｋ線拡大断面図でもある。
【発明を実施するための形態】
【００１５】
以下に本発明の好適な一実施形態を図面に基づいて説明すると、図１は、横方向（左右方向）の幅が例えば約７０ｍ、縦方向（前後方向）幅が約５０ｍの工場の屋根部Ｒを示す平面図であり、図２の(a) は図１の矢印Ａ−Ａ線に沿った断面図で、図２の(a) の約１．３倍程度拡大した断面図、(b) は図１の矢印Ｂ−Ｂ線に沿った断面図で、図２の(a) の約１．３倍程度拡大した断面図である。図３及び図４には、図１に示す太陽電池パネル１を約３０倍に拡大して状態の太陽電池パネル１を示す。
【００１６】
図１及び図２にその全体を示す屋根部Ｒは、図１、図３及び図４に示すように、屋根勾配付きの屋根枠体２（図２の(a) 参照）に屋根材としての多数の太陽電池パネル１・・・が縦横整列状に配置されていて、屋根流れ方向に沿った各縦列の太陽電池パネル１・・・の左右に隣り合う太陽電池パネル１，１相互間に一定幅の隙間部Ｓａが設けられ、また屋根流れ方向と直交する横列の太陽電池パネル１・・・の前後に隣り合う太陽電池パネル１，１相互間に一定幅の間隙部Ｓｂが設けられ、これらの間隙部Ｓａ，Ｓｂに夫々シーリング材３が装填されると共に、これらの間隙部Ｓａ，Ｓｂを覆う長尺状の防水テープ４が、縦列の太陽電池パネル１・・・の左右に隣り合う太陽電池パネル１，１間、及び横列の太陽電池パネル１・・・の前後に隣り合う太陽電池パネル１，１間に夫々接着されている。この場合、隙間部Ｓａは、屋根流れ方向に沿って縦方向に傾斜状に延びる隙間部であり、隙間部Ｓｂは、屋根流れ方向と直交する横方向に水平に延びる隙間部である。
【００１７】
図１〜図９を参照して、各太陽電池パネル１は、詳細な図示は省略するが、透明なガラス板の裏面に樹脂製の保護膜で覆われた太陽電池セルを封入してなる矩形板状の太陽電池５（図８及び図９参照）と、この太陽電池５の周囲に取り付けられた横断面Ｌ字状の周枠６とにより形成され、周枠６は、図８及び図９に示すように、屋根流れ方向に延びる左右縦枠７，７と水平方向に延びる前後横枠８，８とによって構成される。各縦枠７は、図８の(a) に示すように、アルミ押出型材からなるもので、太陽電池５の左右側端部にシール材９を介して嵌合するパネル嵌合凹部７ｏを上部に形成したに二重壁状の立ち上り枠片７ａと、この立ち上り枠片７ａの下端部から内向きに直角に突出する内向き枠片７ｂとにより形成され、各横枠８は、図９に示すように、アルミ押出型材からなるもので、太陽電池５の前後側端部にシール材９を介して嵌合するパネル嵌合凹部８ｏを上部に形成したに二重壁状の立ち上り枠片８ａと、この立ち上り枠片８ａの下端部から内向きに直角に突出する内向き枠片８ｂとによって形成される。
【００１８】
屋根枠体２は、図２に概略示すように、屋根流れ方向に沿うように配設された複数の垂木材１０と、この垂木材１０の下側に配置され、垂木材１０を支持する複数の横梁材１１と、この横梁材１１の下側に屋根流れ方向に配置され、横梁材１１を支持する複数の縦梁材１２とからなるもので、各縦梁材１２は支柱１３によって支持されている。横梁材１１、縦梁材１２及び支柱１３は、屋根全体を支持する剛体構造からなり、Ｈ形鋼又はＴ形鋼によって形成される。尚、この実施形態の屋根枠体２は、片流れ構造となっているが、本発明のソーラー屋根構造を実施するにあたって、屋根枠体を両流れ構造としてもよい。
【００１９】
各垂木材１０は、図８に示すように、アルミ押出型材からなるもので、角筒状の垂木本体部１３と、この垂木本体部１３の上端両側部に垂木本体部１３の上面と面一状に突設された両側一対のパネル受け部１４，１４とによって形成され、この垂木材１０上に前記太陽電池パネル１が配置され、この太陽電池パネル１の周枠６が垂木材１０のパネル受け部１４上に載置されて、ボルト１５及びナット１６により固定されている。
【００２０】
図４から分かるように、垂木材１０には、前記各縦列の太陽電池パネル１・・・の左右に隣り合う太陽電池パネル１，１相互間の隙間部Ｓａに沿うように配置されている垂木材１０と、各太陽電池パネル１の左右方向中間位置に配置されている垂木材１０とがあり、そして隙間部Ｓａに沿うように配置されている垂木材１０は、図８の(a) に示すように、隙間部Ｓａの下側が垂木本体部１３の上面で塞がれると共に、前記隙間部Ｓａを挟んで隣り合う左右両側の太陽電池パネル１，１の周枠６，６の縦枠７，７が前記両側一対のパネル受け部１４，１４に対し夫々ボルト１５及びナット１６により固定されている。
【００２１】
上記のように縦列の太陽電池パネル１・・・の左右に隣り合う太陽電池パネル１，１相互間の隙間部Ｓａに沿うように配置された垂木材１０は、この隙間部Ｓａを挟んで隣り合う左右両側の太陽電池パネル１，１の両周枠６，６を連結して固定する必要があるため、図８の(a) に示すように、左右両側の太陽電池パネル１，１の周枠６，６の縦枠７，７が両側一対のパネル受け部１４，１４に夫々ボルト１５及びナット１６で固定されるが、太陽電池パネル１の左右方向中間位置に配置されている垂木材１０は、縦列の太陽電池パネル１・・・の夫々の左右方向中間部を単に支持するだけであるから、各太陽電池パネル１の周枠６の横枠８を前記両側一対のパネル受け部１４，１４の片方のパネル受け部１４にだけボルト１５・ナット１６で固定させることにより、使用するボルト１５・ナット１６の個数を少なくしている。
【００２２】
尚、図８の(a) 及び図９において、１７は前記隙間部Ｓａ，Ｓｂ内の下部側に取り付けられて、その上部側に装填されるシーリング材３を支持するバックアップ材である。
【００２３】
各垂木材１０は、複数に分割されていて、分割された垂木材１０，１０どうしが垂木接合用ジョイント１８によって接合されると共に、この垂木接合用ジョイント１８は、垂木材１０と共に屋根枠体２を形成するＨ形鋼からなる横梁材１１の上フランジ１１ａに対しボルト１９及びナット２０によって固定されている。
【００２４】
上記垂木接合用ジョイント１８は、図７の(b) 及び図８の(a) ，(b) に示すように、アルミ押出型材からなるもので、べース板部２１と、このべース板部２１の幅方向中央部側から垂木本体部１３の下端部に嵌合するように突設された両側壁部２２，２２と、垂木本体部１３の両側板部１３ａ，１３ａにその長手方向に凹設された鉤形の係嵌凹部１３ｏ，１３ｏに係嵌するように前記両側壁部２２，２２の夫々先端部に形成された鉤形の係嵌凸部２３，２３とによって構成され、前記両側壁部２２，２２の片方の側壁部２２には当該側壁部２２から垂木本体部１３の片方の側板部１３ａにタッピングビス２４をねじ込むためのタッピング孔２５（図８の(a) ，(b) 参照）が複数設けてある。また、べース板部２１の幅方向両端部側には、このべース板部２１を横梁材１１の上フランジ１１ａのボルト挿通孔２７にボルト１９を挿通するボルト挿通孔２６が設けられている。
【００２５】
従って、分割された垂木材１０どうしを垂木接合用ジョイント１８で接合する時には、接続すべき一方の垂木材１０の端部に対して垂木接合用ジョイント１８の一端部側を図８に示すような嵌合状態、即ち両側壁部２２，２２を垂木本体部１３の下端部に嵌合させると共に、両側壁部２２，２２先端部の鉤形の係嵌凸部２３，２３を垂木本体部１３の両側板部１３ａ，１３ａに凹設された鉤形の係嵌凹部１３ｏ，１３ｏに係嵌させ、他方の垂木材１０の端部に対し垂木接合用ジョイント１８の他端部側を同様な状態に嵌め込んだ後、一方の側壁部２２の各タッピング孔２５から垂木本体部１３の側板部１３ａにタッピングビス２４をねじ込んで締め付けることにより、分割された垂木材１０どうしを簡単且つ強固に接合することができる。この後に、べース板部２１のボルト挿通孔２６から横梁材１１の上フランジ１１ａのボルト挿通孔２７にボルト１９を挿通してナット２０で締め付けることにより、図７の(b) に示すように、垂木材１０の端部を横梁材１１上に支持させて固定することができる。このように、垂木接合用ジョイント１８は、これ１つで、分割された垂木材１０どうしを接合すると共に、その接合した垂木材１０を横梁材１１上に支持固定することができるから、接合金具をできるだけ少なくして、施工の簡素化を図ることができる。
【００２６】
図５及び図７の(a) において、２８は垂木材１０の中間部を横梁材１１上に支持させて固定する固定金具で、垂木接合用ジョイント１８と同じ構造で、それとは長さが短くなっているだけである。この固定金具２８は、垂木接合用ジョイント１８と同じ構成部材には同じ符号を付して説明を省略する。
【００２７】
前記屋根部Ｒの隣り合う太陽電池パネル１，１相互間に形成される隙間部Ｓａ，Ｓｂを覆う防水テープ４は、ブチルゴム系の材料で形成された片面接着タイプの全天テープで、初期タック（食い付き）・接着力がきわめて高く、隙間部Ｓａ，Ｓｂへの雨水等の侵入を確実に防止することができ、また耐候性に優れているから長期にわたって有効に使用することができる。
【００２８】
前記隙間部Ｓａ，Ｓｂの防水施工にあたっては、先ず、各隙間部Ｓａ，Ｓｂの夫々下部側にバックアップ材１７を配置し、この上にシーリング材３を図８の(a) 及び図９に示すような状態に装填する。こうしてシーリング材３を装填した後、隙間部Ｓａ、即ち各縦列の太陽電池パネル１・・・が左右に隣り合う太陽電池パネル１，１相互間の隙間部Ｓａには、この隙間部Ｓａを覆う長尺状の防水テープ４を、図３及び図８の(a) に示すように、各横列の太陽電池パネル１，１間に亘り十分なテープ幅をもって太陽電池５と周枠６の縦枠７との隙間を確実に覆うように接着する。また、隙間部Ｓｂ、即ち各横列の太陽電池パネル１・・・が前後に隣り合う太陽電池パネル１，１の隙間部Ｓｂには、この隙間部Ｓｂを覆う同じ長尺状の防水テープ４を、図３及び図９に示すように、各横列の太陽電池パネル１，１間に亘り十分なテープ幅をもって太陽電池５と周枠６の横枠８との隙間を確実に覆うように接着する。
【００２９】
上記のように、この発明に係るソーラー屋根構造では、各隙間部Ｓａ，Ｓｂの防水施工にあたって、隙間部Ｓａ，Ｓｂ内にシーリング材３を装填した後、長尺状の防水テープ４を、各縦列の太陽電池パネル・・・の左右に隣り合う太陽電池パネル１，１間及び各横列の太陽電池パネル・・・の前後に隣り合う太陽電池パネル１，１間に夫々貼り付けるようにするから、各隙間部Ｓａ，Ｓｂへの雨水の侵入を確実に防止できると共に、従来のソーラー屋根構造のように、縦列の太陽電池パネル相互間及び横列の太陽電池パネル相互間に介挿したアルミ押出型材の溝枠に、同じくアルミ押出型材のカバー枠を水密状態に被せてビス止めするようにした防水施工に比べて、防水施工がはるかに簡単且つ容易となって、施工費の大幅な低減化が可能となり、工場、倉庫、野外ステージ等の大型の屋根の建造にはきわめて好適となる。
【００３０】
またこの発明に係るソーラー屋根構造では、屋根枠体２は、屋根流れ方向に沿うように配設された複数の垂木材１０を有し、各垂木材１０は、角筒状の垂木本体部１３と、この垂木本体部１３の上端両側部に垂木本体部１３の上面と面一状に突設された両側一対のパネル受け部１４，１４とからなるもので、垂木材１０上に太陽電池パネル１が配置され、太陽電池パネル１の周枠６が垂木材１０のパネル受け部１４上に載置されてボルト１５止めされるようになっているから、屋根材としての太陽電池パネル１を屋根枠体２の垂木材１０によって的確且つ有効に支持固定させることができる。
【００３１】
この場合、各縦列の太陽電池パネル１，１相互間の隙間部Ｓａに沿って配置された垂木材１０は、図８の(a) に示すように、前記隙間部Ｓａの下側が垂木本体部１３の上面で塞がれると共に、この隙間部Ｓａを挟んで隣り合う左右両側の太陽電池パネル１，１の周枠６，６の縦枠７，７が夫々両側一対のパネル受け部１４，１４に夫々ボルト１５止めされるのに対し、各縦列の太陽電池パネル１の左右方向中間位置に配置された垂木材１０は、各太陽電池パネル１の周枠６の横枠８が両側一対のパネル受け部１４，１４の片方のパネル受け部１４にボルト１５止めされるが、太陽電池パネル１の左右方向中間位置に配置された垂木材１０は、縦列の太陽電池パネル１・・・を支持するだけであるから、図８(b) に示すように、各太陽電池パネル１の周枠６の横枠８が両側一対のパネル受け部１４，１４の片方のパネル受け部１４にだけボルト１５止めすれば連結強度的には十分であり、そうすることによりボルト１５・ナット１６の個数を少なくし、施工の簡素化を図ることができる。
【符号の説明】
【００３２】
１            太陽電池パネル
２            屋根枠体
３            シーリング材
４            防水テープ
５            太陽電池パネルの太陽電池
６            周枠
Ｓａ          縦列の太陽電池パネルが左右に隣り合う太陽電池パネル相互間の隙間部
Ｓｂ          横列の太陽電池パネルが前後に隣り合う太陽電池パネル相互間の隙間部
１０          垂木材
１３          垂木本体部
１４          パネル受け部
１８          垂木接合用ジョイント
【図１】
2016023415.tif 000003
【図２】
2016023415.tif 000004
【図３】
2016023415.tif 000005
【図４】
2016023415.tif 000006
【図５】
2016023415.tif 000007
【図６】
2016023415.tif 000008
【図７】
2016023415.tif 000009
【図８】
2016023415.tif 000010
【図９】
2016023415.tif 000011